(57)【要約】【課題】調整時間を短縮することを可能にすると共に、光量のばらつきによる画像品質の低下を抑える。【解決手段】基準白板を有し、複数のイメージセンサＣＩＳによって読み取られた画像データの出力値をつなぎ合わせることによって１ラインの画像データとする画像読み取り装置において、前記イメージセンサＣＩＳ毎に、当該イメージセンサＣＩＳからの出力信号を増幅するＶＧＡ２１−３、当該ＶＧＡ２１−３によって増幅される信号の信号増幅率を調整するＡＧＣ回路２１−５、及び対応する前記イメージセンサＣＩＳから出力されるアナログ値をデジタル値に変換するＡＤＣ２１−４と、を備え、前記ＡＧＣ回路２１−５は、前記イメージセンサＣＩＳが前記基準白板を読み取るときに、前記イメージセンサＣＩＳの各々の読み取り値が所定値に揃うようにイメージセンサＣＩＳ毎に個別に前記信号増幅率を調整する。【選択図】図４
2008017430.tif 000002
【特許請求の範囲】
【請求項１】
基準白板を有し、複数のイメージセンサによって読み取られた画像データの出力値をつなぎ合わせることによって１ラインの画像データとする画像読み取り装置において、
前記イメージセンサからの出力信号を増幅する信号増幅手段、当該信号増幅手段によって増幅される信号の信号増幅率を調整する増幅率調整手段、及び対応する前記イメージセンサから出力されるアナログ値をデジタル値に変換するＡ／Ｄ変換手段を、前記イメージセンサ毎に備え、
前記増幅率調整手段は、前記イメージセンサが前記基準白板を読み取るときに、前記イメージセンサの各々の読み取り値が所定値に揃うように前記イメージセンサ毎に個別に前記信号増幅率を調整することを特徴とする画像読み取り装置。
【請求項２】
前記増幅率調整手段は全ての光源を点灯したときに調整を行うことを特徴とする請求項１の画像読み取り装置。
【請求項３】
前記増幅率調整手段は前記イメージセンサに対応した光源を点灯したときに調整を行うことを特徴とする請求項１の画像読み取り装置。
【請求項４】
前記光源は前記イメージセンサ毎に設けられていることを特徴とする請求項１ないし３のいずれか１項に記載の画像読み取り装置。
【請求項５】
前記光源は前記各イメージセンサに共通に１つ設けられていることを特徴とする請求項１又は２記載の画像読み取り装置。
【請求項６】
前記増幅率調整手段によって調整されたイメージセンサ毎に個別の増幅率設定値を記憶する記憶手段を備えていることを特徴とする請求項１ないし５のいずれか１項に記載の画像読み取り装置。
【請求項７】
前記記憶手段は、最後の更新が行われたときの最新の設定値を記憶し、再度、各イメージセンサが基準白板を読み取り、前記増幅率調整手段は増幅率の調整を行うときに、前記設定値を反映した後、調整を行うことを特徴とする請求項６の画像読み取り装置。
【請求項８】
前記複数のイメージセンサが主走査方向に千鳥状に配置されていることを特徴とする請求項１ないし７のいずれか１項に記載の画像読み取り装置。
【請求項９】
請求項１ないし８のいずれか１項に記載の画像読み取り装置を備えていることを特徴とする画像形成装置。
【発明の詳細な説明】
【技術分野】
【０００１】
本発明は、大判サイズの用紙に対応するために、複数のイメージセンサを備えた原稿移動式の画像読み取り装置、及びこの画像読み取り装置を備えた複写機、プリンタ、ファクシミリ及びこれらの機能を複合して有するデジタル複合機等の画像形成装置に関する。
【背景技術】
【０００２】
従来のＡ０紙サイズ対応の画像形成装置においては、一般的に１つの密着イメージセンサ（以下、単にＣＩＳという）を用いていた。つまり、Ａ０紙幅に相当する長さのＣＩＳを用いることによって、原稿の読み取りを行っていた。ところが、Ａ０紙幅に対応するＣＩＳは当然大型化することになり、製造コストがかかり、値段が高くなる傾向があった。そのため、Ａ４紙サイズ対応相当の５本のＣＩＳを千鳥状に配置することによって、原稿を読み取る画像読み取り装置等が既に知られている。
【０００３】
一方、原稿を読み取る際には、基準となる白色を画像形成装置等が正しく認識することが、画像形成の仕上がりに影響することも既に知られている。そのため、白色基準調整と呼ばれる画像形成装置等に白を正しく認識させる調整が必須であった。ここで、白色基準調整とは、画像形成前に光源から発した光によって、ＣＩＳから出力される値をアンプ（又は信号増幅器）によってある出力基準値まで上げる調整（ゲイン調整）のことである。
【０００４】
これまでＡ０紙サイズに対応した一般的な画像形成装置等に用いられていたＣＩＳは１つであったため、白色基準調整で問題が発生したとしても、１つのＣＩＳ内部での白色基準のばらつきは、後工程である画像処理工程で調整することによって、ばらつきを抑えることは可能であった（例えば特開２００１−１５７００６号公報参照）。
【０００５】
しかしながら、複数のＣＩＳを千鳥状に配置して、Ａ０紙サイズ相当の原稿の読み取りを行っている画像読み取り装置の場合、１つの光源から発せられる同一の光によって各ＣＩＳの白色基準調整を行ったとしても、白色基準調整するアンプ（又は信号増幅器）も１つしか備えていないため、１つのＣＩＳについては出力基準値に白色基準調整されるが、他のＣＩＳについては出力基準調整まで白色基準調整することができず、各ＣＩＳの出力最大値が揃わずに、ばらつきが生じてしまうことがあった。
【０００６】
また、ＣＩＳ毎に白色基準が異なることになり、同じ白色を読んだとしてもＣＩＳ毎に出力画像が異なることになり、例えば白色と発色されるべき箇所が灰色に発色するなど、画像形成後の仕上がりに影響を与えることもあった。
【０００７】
これらの点に対応した発明として例えば特許文献２に開示された発明が提案されている。この発明は、各ＣＩＳの白色基準値のばらつきを抑え、各ＣＩＳで共通の白色基準値を備えるよう調整可能としたもので、基準白板を有し、複数のイメージセンサによって読み取られた画像データの出力値をつなぎ合わせることによって原稿全体に係る画像データを読み取る画像読み取り装置であって、イメージセンサ毎に、信号増幅手段と、対応するイメージセンサから出力されるアナログ値をデジタル値に変換するＡ／Ｄ変換手段と、を有し、各イメージセンサが、基準白板を読み取る際に、各イメージセンサによる読み取り値が所定値に揃うよう信号増幅手段の増幅率をイメージセンサ毎に個別に調整する読み取り制御手段を有するものである。
【特許文献１】特開２００１−１５７００６号公報
【特許文献２】特開２００５−１９８２５８号公報
【発明の開示】
【発明が解決しようとする課題】
【０００８】
特許文献２記載の発明では、光源の点灯と、消灯と、をイメージセンサ毎に順番に行うことによって、信号増幅手段の増幅率の調整を行うため、（ＣＩＳの本数が多ければ多いほど）調整に時間がかかる。また、１つのＣＩＳの調整を行うとき、その周りのＣＩＳに対応する光源は消灯させた状態で行うため、実際に原稿を読み取るときの状況と異なるため、周囲のＣＩＳの光源による光の回り込み等により多少の違いが生じてしまうという虞がある。
【０００９】
そこで、本発明が解決すべき課題は、調整時間を短縮することを可能にすると共に、光量のばらつきによる画像品質の低下を抑えることにある。
【課題を解決するための手段】
【００１０】
前記課題を解決するため、第１の手段は、基準白板を有し、複数のイメージセンサによって読み取られた画像データの出力値をつなぎ合わせることによって１ラインの画像データとする画像読み取り装置において、当該イメージセンサからの出力信号を増幅する信号増幅手段、当該信号増幅手段によって増幅される信号の信号増幅率を調整する増幅率調整手段、及び対応する前記イメージセンサから出力されるアナログ値をデジタル値に変換するＡ／Ｄ変換手段を、前記イメージセンサ毎に備え、前記増幅率調整手段は、前記イメージセンサが前記基準白板を読み取るときに、前記イメージセンサの各々の読み取り値が所定値に揃うようにイメージセンサ毎に個別に前記信号増幅率を調整することを特徴とする。
【００１１】
第２の手段は、第１の手段において、前記増幅率調整手段が全ての光源を点灯したときに調整を行うことを特徴とする。
【００１２】
第３の手段は、第１の手段において、前記増幅率調整手段が前記イメージセンサに対応した光源を点灯したときに調整を行うことを特徴とする。
【００１３】
第４の手段は、第１ないし第３のいずれかの手段において、前記光源が前記イメージセンサ毎に設けられていることを特徴とする。
【００１４】
第５の手段は、第１又は第２の手段において、前記光源が前記各イメージセンサに共通に１つ設けられていることを特徴とする。
【００１５】
第６の手段は、第１ないし第５のいずれかの手段において、前記増幅率調整手段によって調整されたイメージセンサ毎に個別の増幅率設定値を記憶する記憶手段を備えていることを特徴とする。
【００１６】
第７の手段は、第６の手段において、前記記憶手段は最後の更新が行われたときの最新の設定値を記憶し、再度、各イメージセンサが基準白板を読み取り、前記増幅率調整手段が増幅率の調整を行うときに、前記設定値を反映した後、調整を行うことを特徴とする。
【００１７】
第８の手段は、第１ないし第７のいずれかの手段において、前記複数のイメージセンサが主走査方向に千鳥状に配置されていることを特徴とする。
【００１８】
第９の手段は、第１ないし第８のいずれかの手段に係る画像読み取り装置を画像形成装置が備えていることを特徴とする。
【００１９】
なお、後述の実施形態では、基準白板は符号４ａに、イメージセンサは密着型イメージセンサＣＩＳ１〜３に、増幅手段は可変ゲインアンプ（ＶＧＡ）２１−３、増幅率調整手段はＡＧＣ回路２１−５に、Ａ／Ｄ変換手段はアナログデジタル変換回路（ＡＤＣ）２１−４に、光源は符号１１，１２，１３に、記憶手段は画像メモリ３１に、画像読み取り装置は符号２０５に、画像形成装置は符号２００にそれぞれ対応する。
【発明の効果】
【００２０】
本発明によれば、イメージセンサが前記基準白板を読み取るときに、前記イメージセンサの各々の読み取り値が所定値に揃うようにイメージセンサ毎に個別に前記信号増幅率を調整するので、調整時間を短縮するが可能であると共に、光量のばらつきによる画像品質の低下を抑えることができる。
【発明を実施するための最良の形態】
【００２１】
以下、図面を参照し、本発明の実施形態について説明する。  
図１は本実施形態に係る画像読み取り装置の読み取り部の概略構成を示す図、図２は図１の平面図である。これらの図において、原稿の搬送方向上流側から下流側に原稿搬送路を挟んで前側搬送ローラ（図では搬送ローラ：前と記す）２、コンタクトガラス５と読み取り背面部材４、及び後側搬送ローラ（図では搬送ローラ：後と称す）６が設けられ、前側搬送ローラ２の上流側に原稿挿入センサ１が、下流側にレジストセンサ３がそれぞれ配されている。また、コンタクトガラス５は読み取り背面部材４に対向して設けられ、コンタクトガラス５の背面側に第１ないし第３の密着イメージセンサＣＩＳ１，２，３が配されている。図２に示すようにこれらの第１ないし第３の３本の密着型イメージセンサＣＩＳ１，ＣＩＳ２，ＣＩＳ３は主走査方向に対して千鳥状に配置され、かつ隣接する各密着型イメージセンサの読取範囲Ｒ１，Ｒ２，Ｒ３が主走査方向に重複して配置されている。この３本の密着型イメージセンサＣＩＳ１，ＣＩＳ２，ＣＩＳ３のうち、第２の密着型イメージセンサＣＩＳ２がシート搬送方向最上流側に設けられ、副走査方向に距離Ｌをおいて第１及び第３の密着型イメージセンサＣＩＳ１，ＣＩＳ３が並んでいる。なお、図２において、Ｒ１′，Ｒ２′，Ｒ３′は原稿読み取り範囲である。
【００２２】
このような構成の読み取り装置では、原稿７は図１において左側から（図２において下方から）前側搬送ローラ２に挿入される。原稿挿入センサ１が原稿を検知すると図示しない搬送モータにより前側搬送ローラ２及び後側搬送ローラ６が回転し、密着型イメージセンサＣＩＳ１，２，３内の図示しない原稿照明用光源が点灯する。その後、レジストセンサ３により原稿７の先端を検知し、原稿７の搬送経路における位置を逐次認識する。原稿７の画像（下面）は第２の密着型イメージセンサＣＩＳ２で読み取られた後、第１及び第３の密着型イメージセンサＣＩＳ１，３に読み取られる。第２の密着型イメージセンサＣＩＳ２の読み取り信号は第２及び第１の密着型イメージセンサＣＩＳ２とＣＩＳ１間の副走査に要する時間だけ遅延され、第３及び第１の密着型イメージセンサＣＩＳ１，３の読み取り信号はＣＩＳ３とＣＩＳ１間の副走査に要する時間だけ遅延され、第１及び第３の密着型イメージセンサＣＩＳ１，２，３の各信号は合成され、１ライン化された読み取り信号を得る。原稿７の画像は副走査方向に移動する間に順次読み取られ、後側搬送ローラ６を経て排出される。図２においては（動作を上面から見ると）原稿は下側から上側へと搬送される。
【００２３】
読取背面部材４の密着型イメージセンサＣＩＳ１〜３に面した側（図では下面）は白色板として形成され、基準白板４ａとして機能する。基準白板４ａは、画像読み取り装置の白レベルの基準である。また、基準白板４ａを読み取ったときの出力レベルはあらかじめ決められている。この出力レベルを以下、白レベル目標値と称する。
【００２４】
図３は画像読み取り装置の電気的構成を示すブロック図である。同図において、画像読み取り装置は、各々１〜Ｎ個の読み取り画素を有する第１ないし第３の密着型イメージセンサＣＩＳ１〜３と、第１ないし第３の光源１１，１２，１３と、第１ないし第３のＣＩＳ１〜３毎に設けられた第１ないし第３の信号処理ブロック２１，２２，２３と、画像メモリ３１と、タイミング制御部３２と、メモリ３３とから構成されている。第１ないし第３の密着型イメージセンサＣＩＳ１〜３と、第１ないし第３の光源１１，１２，１３とは、図２に示すように千鳥状に配置され、この実施形態では、第２の密着型イメージセンサ２２が第１ないし第３の密着型イメージセンサ２１，２３よりもシート搬送方向上流側（副走査方向上流側）に設けられている。また、第１ないし第３の信号処理ブロック２１，２２，２３はともに信号増幅部とＡ／Ｄ変換部とを備えている。
【００２５】
第１ないし第３の光源１１〜１３は、タイミング制御部３２からの点灯制御により点灯する。第１ないし第３のＣＩＳ１〜３は、光信号（画像）を電気信号に変換する撮像素子であり、第１ないし第３の信号処理ブロック２１，２２，２３で、電気信号の増幅、Ａ／Ｄ変換が行われ、読み取り信号を出力する。また、画像メモリ部３１は、画像の読み取り処理によって得られた画像データ等を記憶し、画像形成装置の画像処理部へデータを転送する。
【００２６】
図４は信号処理ブロックの詳細を示すブロック図である。信号処理ブロックでは、ＣＩＳの出力からデジタル画像信号を得るまでの信号処理を実行する。第１ないし第３の信号ブロック２１〜２３は全て同じ構成なので、ここでは、第１のイメージセンサＣＩＳ１の出力を処理する第１の信号処理ブロック２１を代表して示す。
【００２７】
信号処理ブロック２１は入力に対し、交流結合後の入力端子電位を規定するためのクランプ回路（ＣＬＭＰ回路）２１−１、イメージセンサの出力信号の信号成分のみを取り出すサンプルホールド回路（ＳＨ回路）２１−２、指定した増幅率でＳＨ後の信号を増幅する可変ゲインアンプ（ＶＧＡ）２１−３を備え、アナログデジタル変換回路（ＡＤＣ）２１−４を通してデジタル画像信号として出力される。ＡＧＣ回路２１−５は、１ラインのピークデータ検出を行い、ピーク値が白レベル目標値になるようにＶＧＡのゲインを調整する。すなわち、信号処理ブロック２１では、基準白板４ａを読み取ったときの出力レベルが白レベル目標値になるように調整を行う、基準白板４ａ調整は、例えばユーザ等が画像形成装置を朝一番で立ち上げた（電源を入力した）ときや、省エネモードによって一度電源が立ち下がった状態から再度立ち上げるとき等に、毎回行われる。
【００２８】
なお、クランプ回路２１−１、サンプルホールド回路２１−２、ＡＧＣ回路２１−５はそれぞれターゲット＆インターフェース回路（ＴＧ＆Ｉ／Ｆ）２１−６に接続されている。ＴＧ＆Ｉ／Ｆ回路２１−６には、ＣＬＭＰＩＮ、ＳＨ、ＭＣＬＫ、ＳＣＬＫ、ＳＤ、ＣＳ、及びＳＨＧＴの各信号が入力される。また、信号処理ブロック２１自体は、各ＣＩＳ１〜３の３つのＣＩＳの信号処理を併せて行うことができるように１つの信号処理ＩＣ（ＡＳＩＣ）として構成されている。
【００２９】
このように構成された画像読み取り装置では、図３に示すＣＩＳの出力からデジタル画像信号を得るまでの信号処理ブロック２１，２２，２３に、図４に示すようにＣＩＳの出力１ライン分の画像データの最大値を検出し、その値が指定した値に近づくように増幅器のゲインを変化させる自動ゲイン調整（ＡＧＣ）回路２１５を備えているので、このＡＧＣ回路２１−５により基準白板４ａを読み取ったときに、出力データが所定値に揃うように、増幅器（可変ゲインアンプ−ＶＧＡ２１−３）のゲインを各ＣＩＳ個別に調整を行う。これにより、各ＣＩＳ個別にＶＧＡ２１−３のゲインを調整することができる。
【００３０】
また、信号処理ブロック２１にはＡＧＣ回路２１−５が設けられ、自動ゲイン調整機能を備えているので、各ＣＩＳのＶＧＡ２１−３のゲイン調整を同時に行うことができる。これにより、ゲイン調整の時間を短縮することができる。すなわち、１つのＶＧＡ２１−３のゲイン調整にかかる時間で、全てのＶＧＡ２１−３のゲイン調整を行うことができる。
【００３１】
また、基準白板４ａを読み取ったときの出力データが所定値に揃うように、ＶＧＡ２１−３のゲインを各ＣＩＳ個別に調整するときには、全ての光源を点灯した状態で、各ＣＩＳ個別にＶＧＡ２１−３のゲイン調整を行うようにする。このようにすると実動作と同じ環境での調整が可能となり、光量のばらつきによる画像品質の低下を抑えることができる。
【００３２】
また、基準白板４ａを読み取ったときの出力データが所定値に揃うように、ＶＧＡ２１−３のゲインを各ＣＩＳ個別に調整するときに、各ＣＩＳに対応した光源のみを点灯した状態で、各ＣＩＳ個別にＶＧＡ２１−３のゲイン調整を行うようにすることもできる。このようにすると原稿サイズ等の設定で必要最低限のＣＩＳのみ駆動させて読取動作を行うなどの省エネ駆動に対応することができる。
【００３３】
前記光源１１，１２，１３は図３の例では、ＣＩＳ１，２，３毎に存在するが、各ＣＩＳ１，２，３に共通で、１つだけとすることもできる。このように光源をＣＩＳ毎に設けると、ＣＩＳ毎に最適な増幅器のゲイン調整を行うことができ、また、省エネ駆動にも対応することができる。一方、前記光源が各ＣＩＳに共通な１つのもととすると、製造コストを抑えることができる。
【００３４】
各ＣＩＳが、基準白板４ａを読み取るときに、各ＣＩＳによる読み取り値が所定値に揃うようにＶＧＡ２１−３の増幅率をＣＩＳ毎に個別に調整したときの設定値を記憶する画像メモリ３１を備え、最新の（設定値の最後の更新が行われたときの）設定値を記憶し、電源ＯＮ時等、再度、各ＣＩＳが基準白板４ａを読み取り、ＶＧＡ２１−３の増幅率を調整する際には、前記最新の設定値を反映した後に調整を行う。すなわち、最新の設定値を記憶し、電源ＯＮ時等、再度、各ＣＩＳが基準白板４ａを読み取り、ＶＧＡ２１−３の増幅率の調整を行うときに、その設定値を反映した後に、調整を行うことにより、あらかじめ狙いに近い調整から調整を行うことが可能となり、これにより調整にかかる時間をより短縮することができる。
【００３５】
図５は本発明の実施形態に係る画像形成装置としての広幅デジタル複写機の概略構成を
示す図である。同図において、給紙部１００の上に画像形成部２００が、更に画像形成部
２００の上に読取部（スキャナ部）３００が装着され、全体としてデジタル複写機を構成
している。以下、動作とともに各部の構成について述べていく。
【００３６】
まず、読取部３００の原稿台３０１上に原稿をおき、この原稿を１枚ずつ読取部３００
に給紙する。給紙された原稿は密着イメージセンサ（ＣＩＳ）３０２により画像情報が読
み取られ、画像読み取り後に排紙トレイ上に排紙される。原稿台３０１上の原稿は、図示
省略のサイドフェンスにより幅方向（搬送方向に直交する方向の端部）が揃えられ、給紙
ローラ３０３により給紙され、密着イメージセンサ３０２の下側に搬送される。原稿台３０１上には、原稿幅検知センサ及び原稿長さ検知センサが設けられている。両センサにより、原稿台３０１から送られる原稿のサイズを検知する。密着イメージセンサ３０２下の原稿はＬＥＤアレイや蛍光灯などの光源により露光され、反射光がロッドレンズアレイに通してイメージセンサ上に結像され、イメージセンサによって光電変換が行われる。原稿読み取り終了後は、原稿は搬送ローラ３０４及び排紙ローラ３０５によって排紙トレイ上に排紙される。なお、図５では、密着イメージセンサ３０２の配置は図１とは逆の配置となっているが、これらは読み取り原稿の原稿面に対向していれば、上下位置は相対的な話である。
【００３７】
画像形成部２００は現像部２０１、定着部２０２、排紙部２０３を備え、密着イメージ
センサ３０２に読み取られた画像信号は画像処理され、ＬＥＤ書き込み部２０４により、
帯電器よって一様に帯電された感光体２０５上に光書き込みが行われる。この光書き込み
によって感光体２０５上に静電潜像が形成さる。静電潜像はＬＥＤ書き込み部２０４の感
光体回転方向下流側に設けられた現像器２０１によってトナー現像され、給紙部１００か
ら給送された記録用紙に対して前記トナー現像されたトナー画像が転写部２０９で転写さ
れ、分離部２１０で感光体２０５から分離された後、搬送ベルト２１１によって定着器２
０２に搬送される。記録用紙上に転写されたトナー画像は定着器２０２で転写されて、原
稿画像の複写が行われ、表面に画像が形成された記録用紙は例えば排紙部２０３の排紙センサ２１６を経て、排紙ローラ２１３によって画像形成部２００上面の排紙トレイ２０６に排出される。
【００３８】
給紙部１００は、上下２段のロール紙トレイ１０１、１０２を有している。このロール
紙トレイ１０１、１０２は、装置筐体から図の左方向に引き出し可能となっており、トレ
イを引き出した状態でロール紙のセットやジャム処理を行うように構成されている。ロー
ル紙トレイ１０１、１０２には、それぞれ２つずつロール紙をセットすることができる。
【００３９】
紙管の周囲に巻装された各ロール紙１０３〜１０６は、一対のペーパーホルダ１０７〜１
１０を介して給紙部１００にセットされる。各ロール紙に対する給紙ローラ１１１〜１１
４がロール紙近傍に配設されている。各給紙ローラ１１１〜１１４により送り出されたロ
ール紙は、トレイ前面側（図の左側）に設けられたロールカッターユニット１１５、１１
６で一定の長さに切断され、画像形成部２００へと送り込まれる。このカットされて送り
込まれたロール紙は、レジストローラ２０８にて作像タイミングとの同期を取り、感光体
２０５に導かれ、感光体２０５上に形成された画像を転写部２０９により転写され、分離
部２１０により感光体２０５から分離されて搬送ベルト２１１で定着部２０２へ導かれ、
熱的に画像を定着される。画像を定着されたロール紙は、排紙部２０３をなす排紙ローラ
２１２、２１３によって排紙される。排紙方向は分岐爪２１４により切り替えられ、画像
形成部２００上面の排紙トレイ２０６、または画像形成部２００後方の図示しない排紙ト
レイに排出される。
【００４０】
定着部２０２と排紙ローラ２１２の間、及び排紙ローラ２１２と排紙ローラ２１３の間
には、それぞれ排紙センサ２１５、２１６が設けられ、この排紙センサ２１５、２１６に
よってロール紙が排紙部２０３にあるか否かを判別できるようになっている。
【００４１】
また図示は省略するが、画像形成部２００には、排紙ローラ２１２、２１３を駆動する
駆動制御手段を備えるとともに、読取部３００には動作のスタート指示や、搬送するロー
ル紙の情報であるリピートコピーや長尺通紙情報を入力するための操作部を設けてある。
【００４２】
定着部２０２は金属管に離型層を配置した定着ローラと、金属管にゴム層と離型層を配
置した加圧ローラと、ＡＣ電力を供給するＡＣ電力供給手段からＡＣ電力が供給されて加
熱する主加熱部と、補助電源と、補助電力から供給される電力が供給されて加熱する補助
発熱部と、定着ローラに回転駆動力を与えるための電磁モータと、前記補助電源の充電電
圧を検出する電圧センサと、前記定着ローラ・加圧ローラの表面温度を検出する温度検出
手段と、電磁モータの回転駆動を定着ローラに伝達するための中継ギヤと、電磁モータか
ら中継ギヤを経由して得られる回転力を定着ローラに伝えるための定着駆動ギヤで構成されている。
【００４３】
なお、本発明は本実施形態に限定されるものではなく、特許請求の範囲に記載された本発明の要旨の範囲内において、種々の変形・変更が可能である。
【図面の簡単な説明】
【００４４】
【図１】本実施形態に係る画像読み取り装置の読み取り部の概略構成を示す図である。
【図２】図１の平面図である。
【図３】画像読み取り装置の電気的構成を示すブロック図である。
【図４】図３における信号処理ブロックの詳細を示すブロック図である。
【図５】画像読み取り装置と広幅の画像形成装置とからなるシステムの一例を示す図である。
【符号の説明】
【００４５】
４  読み取り背面部材
４ａ  基準白板
１１，１２，１３  光源
２１，２２，２３  信号処理ブロック
２１−３  可変ゲインアンプ（ＶＧＡ）
２１−４  アナログデジタル変換回路（ＡＤＣ）
２１−５  ＡＧＣ回路
３１  画像メモリ
３２  タイミング制御部
２００  画像形成装置
２０５  画像読み取り装置
ＣＩＳ、ＣＩＳ１〜３  密着型イメージセンサ
【図１】
2008017430.tif 000003
【図２】
2008017430.tif 000004
【図３】
2008017430.tif 000005
【図４】
2008017430.tif 000006
【図５】
2008017430.tif 000007